(57)【特許請求の範囲】
【請求項１】
壁面パッキンを介して設置面に取り付けられる防水型の器具本体と、該器具本体に取り付けられるグローブと、前記設置面に設けられた電線挿通孔を通じて前記器具本体内に挿通される電源線を介して商用電源により充電され非常時にランプに給電する充電池と、を有する非常灯用照明器具において、前記充電池を器具本体内部に設けるとともに、前記電線挿通孔を通過して設置面裏側へ突出し上底部を有する略筒状の立ち上がり部を設けて、前記立ち上がり部に、前記電源線を外囲して水の侵入を防止する電源線パッキンと、器具本体内部空間と設置面裏側空間とを連通する流通孔と、を設け、前記立ち上がり部は、前記壁面パッキンから延設されており、前記立ち上がり部は、前記設置面裏側空間に上底部を有する筒体の立ち上がり部本体と、該上底部から設置面裏側空間に突出する凸部と、を有し、前記電源線パッキンを該上底部に設けるとともに、前記流通孔の一端開口を前記凸部の先端部に設け、前記電源線パッキンを上底部中央より偏心させて前記上底部に設けるとともに、該上底部の前記電源線パッキン側が他端側より高くなるように上底部を傾斜させたことを特徴とする非常灯用照明器具。
【請求項２】
前記立ち上がり部は、前記器具本体から延設されていることを特徴とする請求項１記載の非常灯用照明器具。
【請求項３】
前記立ち上がり部は、前記設置面裏側空間に上底部を有する筒体の立ち上がり部本体を有し、前記電源線を外囲して水の侵入を防止する電源線パッキンを該上底部に設けるとともに、前記流通孔を前記上底部に設けたことを特徴とする請求項２記載の非常灯用照明器具。
【請求項４】
前記器具本体内において前記充電池から前記立ち上がり部にかけて傾斜した誘導テーパを設け、前記充電池の発生させるガスを立ち上がり部に誘導する
ことを特徴とする請求項１乃至請求項３記載の非常灯用照明器具。
【発明の詳細な説明】
【０００１】
【発明の属する技術分野】
本発明は、非常灯用照明器具に関し、詳しくは防水型の非常灯用照明器具に関する。
【０００２】
【従来の技術】
従来より停電時等に非常点灯する非常灯用照明器具が建物各所に設置されているが、公衆浴場や温水プールなど湿度の高い室内においては防水型の非常灯用照明器具が用いられている。防水型の非常灯用照明器具としては、特開平５−２０５５０６号公報に開示されているものがある。このものは、図８に示すように、蓄電池１と、蓄電池に接続され給電される点灯部品２，３を内部に収納するとともにグローブ取付用開口部５を有する防水型の器具本体４と、グローブ取付用開口部５にパッキンを介して取り付けられたグローブ６とを備えており、充電池１は器具本体４の外側に取り付けられている。そして、外殻部７が器具本体４及び充電池１を外囲するようになされている。
【０００３】
以上の構成の非常灯用照明器具にあっては、器具本体４内の気密性を保持するとともに、充電池１の発生させる水素ガスの器具本体４内への流入を防止して、水素ガスによる爆発の危険性を除去できるものであった。
【０００４】
【発明が解決しようとする課題】
しかしながら、上述のような非常灯用照明器具にあっては、水素ガスの器具本体４への流入を考慮して器具本体４と外殻部７との２重構造となっていた。
【０００５】
従って、器具の構造が複雑になり、組立が複雑化し、製造コストも高くなるという問題点があった。
【０００６】
本発明は、上記問題点を改善するために成されたもので、その目的とするところは、単純な構造で防水性を有するとともに水素ガスによる危険性を除去することができる非常灯用照明器具を提供することにある。
【０００７】
【課題を解決するための手段】
本発明は上記の問題を解決するために、グローブ取付用開口部を有し壁面パッキンを介して設置面に取り付けられる防水型の器具本体と、前記グローブ取付用開口部に取り付けられるグローブと、前記設置面に設けられた電線挿通孔を通じて前記器具本体内に挿通される電源線を介して商用電源により充電され非常時にランプに給電する充電池と、を有する非常灯用照明器具において、前記充電池を器具本体内部に設けるとともに、前記電線挿通孔から設置面裏側へ突出する上底部を有する略筒状の立ち上がり部を設けて、前記立ち上がり部に、前記電源線を外囲して水の侵入を防止する電源線パッキンと、器具本体内部空間と設置面裏側空間とを連通する流通孔と、を設け、前記立ち上がり部は、前記壁面パッキンから延設されており、立ち上がり部は、前記設置面裏側空間に上底部を有する筒体の立ち上がり部本体と、該上底部から設置面裏側空間に突出する凸部と、を有し、前記電源線パッキンを該上底部に設けるとともに、前記流通孔の一端開口を前記凸部の先端部に設け、前記電源線パッキンを偏心させて前記上底部に設けるとともに、該上底部の前記電源線パッキン側が他端側より高くなるように上底部を傾斜させたことを特徴とする。こうすることにより、水滴の器具本体内部への侵入を防止できる。
【０００８】
前記立ち上がり部は、前記壁面パッキンから延設されていることが好ましく、この場合には、立ち上がり部は、前記設置面裏側空間に上底部を有する筒体の立ち上がり部本体と、該上底部から設置面裏側空間に突出する凸部と、を有し、前記電源線パッキンを該上底部に設けるとともに、前記流通孔の一端開口を前記凸部の先端部に設けて構成すればよい。そして、前記電源線パッキンを偏心させて前記上底部に設けるとともに、該上底部の前記電源線パッキン側が他端側より高くなるように上底部を傾斜させれば、より水滴の器具本体内部への侵入を防止できて好ましいものである。
【０００９】
また、前記前記立ち上がり部は、前記器具本体から延設されているものであってもよい。この場合には、前記立ち上がり部は、前記設置面裏側空間に上底部を有する筒体の立ち上がり部本体を有し、前記電源線を外囲して水の侵入を防止する電源線パッキンを該上底部に設けるとともに、前記流通孔を前記上底部に設けた構成にすればよい。
【００１０】
更に、器具本体内において前記充電池から前記立ち上がり部にかけて傾斜した誘導テーパを設け、前記充電池の発生させるガスを立ち上がり部に誘導するようにすることは、ガス排出の観点から好ましいものである。
【００１１】
【発明の実施の形態】
本発明にかかる非常灯用照明器具の第一実施の形態を図１〜図３に基づいて、第二実施の形態を図４〜図６に基づいて、第3実施の形態を図７に基づいて、説明する。
【００１２】
〔第一実施の形態〕
図１は本発明の非常灯用照明器具の一部を破断した側面図である。図２は非常灯用照明器具の要部側面断面図である。図３は立ち上がり部の斜視図である。
【００１３】
図１に示すように、非常灯用照明器具は、ランプ１１、蓄電池１２、器具本体１３、グローブ１４、壁面パッキン１５、取付パッキン１６及び回路ブロック１７を有して構成してある。
【００１４】
ランプ１１は不図示のソケットを介して回路ブロック１７に接続されており、回路ブロック１７は非常時に充電池１２からの給電によりランプ１１を点灯させるものである。
【００１５】
器具本体１３は略円筒体であって、内部に取付台１３ａを有している。該取付台１３ａには充電池１１及び回路ブロック１７が取り付けられている。器具本体１３の内側面にはネジ溝１３ｂが刻設されている。
【００１６】
グローブ１４は有底であって他方が開口した筒体であって、開口部側端部が縮径されて取付部１４ａを形成してあり、該取付部１４ａの外側面にはネジ溝１３ｂと螺合するピッチのネジ溝１４ｂが刻設されている。ネジ溝１３ｂとネジ溝１４ｂとを螺合させることにより、器具本体１３にグローブ１４を取り付けることができる。そして、取付部１４ａの基端部近傍に取付パッキン１６を配設して、器具本体１３とグローブ１４とを気密に接続している。
【００１７】
器具本体１３は、壁面パッキン１５を介して設置面である天井板Ｔの室内側の面に取り付けられている。壁面パッキン１５は、天井板Ｔの電線挿通孔Ｈから天井板裏側へ突出する略筒状の立ち上がり部１８を有している。
【００１８】
立ち上がり部１８は、図３に示すように、天井板裏側空間に上底部１８ｂを有する円形筒体の立ち上がり部本体１８ａと、上底部１８ｂから天井板裏側空間側に突出する２つの凸部１８ｃ，１８ｃと、を有している。立ち上がり部本体１８ａは壁面パッキン１５に設けられた開口部１５ａの縁部から延設されている。そして、上底部１８ｂには電源線パッキン１８ｄが設けられている。電源線パッキン１８ｄは電源線Ｌの天井板裏側空間から器具本体１３内への引き込み口であって気密性を有している。さらに、流通孔１８ｅ，１８ｅ…を各凸部１８ｃ，１８ｃを貫通して設け、流通孔１８ｅ，１８ｅ…の一端側開口を凸部１８ｃ，１８ｃの先端部に位置するようになしてある。更に、上底部１８ｂには、上底部１８ｂの電源線パッキン１８ｄが上側となり他縁部が下側となる傾斜であるテーパ部１８ｆが設けてあり、天井板Ｔに設置したときに電源線パッキン１８ｄ側に水滴Ｗが流れるのを防止している。そして、凸部１８ｃ，１８ｃの先端位置が、天井板Ｔの裏側面から上方に突出していることにより、天井板Ｔの裏側面に生じた水滴Ｗが流通孔１８ｅ，１８ｅ…に流れ込むことはない。
【００１９】
また、一般に湿気の発生する公衆浴場等では、給気は自然換気、排気は強制排気とする第三種換気を行うので、室内は負圧となり、天井裏に湿気が回り込むことはなく、天井裏湿度は通常の一般屋内と同レベルと考えて良い。従って、流通孔１８ｅ，１８ｅ…を設けることによって器具本体１３内部の湿度が上昇するということはない。また、流通孔１８ｅ，１８ｅ…を設けることにより、充電池１２が寿命末期や過電流により発生させる水素ガスを器具本体１３外に排出できるので、器具本体１３内部に水素ガスが充満するという危険な状態になることを防止できる。そして、蓄電池１２を器具本体１３とグローブ１４とで構成する空間に配設しているので、従来の技術で説明したように充電池を器具本体の外側面に設ける場合に比べて、非常灯用照明器具の大きさを小型化することができる。
【００２０】
更に、電源線Ｌが電源線パッキン１８ｄを通じて器具本体１３に引き込まれているので、結露した水滴Ｗなどが電源線Ｌを伝って器具本体１３内に入り込むこともない。そして、テーパ部１８ｆを設けていることから、電源線Ｌと電源線パッキン１８ｄとの境界部分に水滴が溜まることもなく、より一層水滴の器具本体１３内部への侵入を防止することができる。
【００２１】
以上のように非常灯用照明器具にあっては、従来の技術で説明したように二重構造とすることなく、単純な構造で防水性を有するとともに水素ガスによる危険性を除去することができるのである。
【００２２】
また、立ち上がり部１８は壁面パッキン１５に連設されているので、壁面パッキン１５の成形時に立ち上がり部１８を一体的に成形でき、個別に成形する場合に比べて製造工程を簡素化できるという利点がある。
【００２３】
〔第二実施の形態〕
図４は本発明の非常灯用照明器具の一部を破断した側面図である。図５は非常灯用照明器具の要部側面断面図である。図６は非常灯用照明器具の他の実施の形態の要部側面断面図である。なお、図４乃至図６においては前述の第一実施の形態で説明したところの非常灯用照明器具と同等の箇所には同じ符号を付してあるので、同等の箇所の詳細な説明は省略する。
【００２４】
図４乃至図６に示す本実施の形態の非常灯用照明器具が、前述の第一実施の形態で説明したところの非常灯用照明器具と異なり特徴となるのは次の構成である。
【００２５】
即ち、図４、図５に示すように、本実施の形態では、立ち上がり部１９は器具本体１３から延設され、器具本体１３と一体に形成されている。詳しくは、立ち上がり部１９は、図４に示すように、天井板裏側空間に上底部１９ｂを有する円形筒体の立ち上がり部本体１９ａを有して構成されている。そして、上底部１９ｂに電源線パッキン１９ｄを設けてある。電源線パッキン１９ｄは電源線Ｌの天井板裏側空間から器具本体１３内への引き込み口であって電源線Ｌを挿通した状態で気密性を有する。そして、上底部１９ｂを切り起こして、流通孔１９ｅ，１９ｅ…を設けてある。
【００２６】
この構成の非常灯照明器具にあっては、立ち上がり部１９が天井板Ｔ裏側面より突出しているので、天井面からの水滴が水滴Ｗが器具本体１３内に進入することはない。また、電源線Ｌを伝う水滴についても電源線パッキン１９ｄにより器具本体１３内への進入が防止される。そして、流通孔１９ｅ，１９ｅ…を設けているので、充電池１２が寿命末期や過電流により発生させる水素ガスを器具本体１３外に排出でき、器具本体１３内部に水素ガスが充満するという危険な状態になることを防止できる。
【００２７】
なお、本第二の実施の形態では、流通孔１９ｅ，１９ｅ…を立ち上がり部１９の上底部１９ｂを切り起こして設けるものとして説明しているが、これに限られるものではなく、上底部１９ｂの面内の一部分であればよい。従って、図６に示すように、流通孔１９ｆ，１９ｆ…を電源線パッキン１９ｄに設けるものであってもよい。この場合、電源線パッキン１９ｄの成形時に流通孔１９ｅ．１９ｅ…も同時に成形されるため、別途流通孔１９ｅ，１９ｅ…を設ける工程が不要となるという利点がある。
【００２８】
また、立ち上がり部１９は器具本体１３に連設されているので、器具本体１３の成形時に立ち上がり部を一体的に成形でき、個別に成形する場合に比べて製造工程を簡素化できるという利点がある。
【００２９】
〔第三実施の形態〕
図７は本発明の非常灯用照明器具の一部を破断した側面図である。なお、図７においては前述の第一実施の形態で説明したところの非常灯用照明器具と同等の箇所には同じ符号を付してあるので、同等の箇所の詳細な説明は省略する。
【００３０】
図７に示す本実施の形態の非常灯用照明器具が、前述の第一実施の形態で説明したところの非常灯用照明器具と異なり特徴となるのは次の構成である。
【００３１】
即ち、図７に示すように、器具本体１３内部に発生する水素ガスを流通孔１８ｅ，１８ｅ…近傍に導く誘導テーパ２０を設けた構成である。誘導テーパ２０は器具本体１３内において充電池１２から立ち上がり部１８の流通孔１８ｅ近傍にかけて傾斜している板体であって、充電池１２が発生させた水素ガスは誘導テーパ２０に沿って上昇し、流通孔１８ｅから設置面裏側空間に排出される。
【００３２】
この構成の非常灯用照明器具にあっては、より水素ガスを設置面裏側空間に排出しやすくできるという利点がある。
【００３３】
【発明の効果】
本発明の非常灯用照明器具は上述のように構成してあるから、請求項１記載の発明にあっては、充電池を器具本体内部に設けるとともに、電線挿通孔から設置面裏側へ突出する略筒状の立ち上がり部を設けて、立ち上がり部に、電源線を外囲して水の侵入を防止する電源線パッキンと、器具本体内部空間と設置面裏側空間とを連通する流通孔とを設け、前記立ち上がり部は、前記壁面パッキンから延設されており、前記立ち上がり部は、前記設置面裏側空間に上底部を有する筒体の立ち上がり部本体と、該上底部から設置面裏側空間に突出する凸部と、を有し、前記電源線パッキンを該上底部に設けるとともに、前記流通孔の一端開口を前記凸部の先端部に設け、前記電源線パッキンを上底部中央より偏心させて前記上底部に設けるとともに、該上底部の前記電源線パッキン側が他端側より高くなるように上底部を傾斜させているので、筐体を二重構造とすることなく、単純な構造で防水性を有するとともに水素ガスによる危険性を除去することができるとともに壁面パッキンの成形時に立ち上がり部を一体的に成形でき、個別に成形する場合に比べて製造工程を簡素化でき、さらには、電源線と電源線パッキンとの境界部分に水滴が溜まることもなく、より一層水滴の防水性を高めることができるという効果を奏する。
【００３６】
請求項２及び請求項３記載の発明にあっては、立ち上がり部は器具本体に連設されているので、器具本体の成形時に立ち上がり部を一体的に成形でき、個別に成形する場合に比べて製造工程を簡素化できるという効果を奏する。
【００３７】
請求項４記載の発明にあっては、器具本体内において前記充電池から前記立ち上がり部にかけて傾斜した誘導テーパを設け、該誘導テーパが充電池の発生させるガスを立ち上がり部に誘導するので、より水素ガスによる危険性を除去することができるという効果を奏する。
【図面の簡単な説明】
【図１】本発明の第一実施の形態の非常灯用照明器具の一部を破断した側面図である。
【図２】本発明の第一実施の形態の非常灯用照明器具の要部側面断面図である。
【図３】本発明の第一実施の形態の立ち上がり部の斜視図である。
【図４】本発明の第二実施の形態の非常灯用照明器具の一部を破断した側面図である。
【図５】本発明の第二実施の形態の非常灯用照明器具の要部側面断面図である。
【図６】本発明の第二実施の形態の非常灯用照明器具の他の例の要部側面断面図である。
【図７】本発明の第三実施の形態の非常灯用照明器具の一部を破断した側面図である。
【図８】従来の技術の非常灯用照明器具の一部を破断した側面図である。
【符号の説明】
１５    壁面パッキン
１３    器具本体
１４    グローブ
Ｈ      電線挿通孔
Ｌ      電源線
１１    ランプ
１２    充電池
１８    立ち上がり部
１８ａ  立ち上がり部本体
１８ｂ  上底部
１８ｃ  凸部
１８ｄ  電源線パッキン
１８ｅ  流通孔
１９    立ち上がり部
１９ａ  立ち上がり部本体
１９ｂ  上底部
１９ｅ  流通孔
２０    誘導テーパ
【図１】
0003924978.tif 000002
【図２】
0003924978.tif 000003
【図３】
0003924978.tif 000004
【図４】
0003924978.tif 000005
【図５】
0003924978.tif 000006
【図６】
0003924978.tif 000007
【図７】
0003924978.tif 000008
【図８】
0003924978.tif 000009